(57)【要約】【課題】挿入されるアクセサリ用品プラグとソケットボディ側のソケット爪の干渉を抑制でき、アクセサリ用品プラグの使用にも好適なシガレットライタを提供する。【解決手段】円筒形状のアッシュガード２４０を有するプラグボディ２２０の一端にノブ２１０が設けられ、他端に発熱体部としてのヒータエレメント２５０が設けられたライタプラグ２００と、挿入されたライタプラグ２００をアッシュガード２４０とスライド可能な状態で嵌合し、ソケット爪１１２でアッシュガード２４０に形成された凹部２４２に係合して係止するソケットボディ１１０と、ヒータエレメント２５０に電流を供給するプラス電極１４２からの電流の供給状態に応じてヒータエレメント２５０の温度が変化してライタプラグ２００を保持または開放するバイメタル１３０と、を有するライタ受容部１００と、を備え、ソケットボディ１１０に形成されたソケット爪１１２は、ライタプラグ２００が挿入される方向と反対の方向に向かって片持ちばりの形状で形成された構成とする。【選択図】図１
2012051438.tif 000002
【特許請求の範囲】
【請求項１】
円筒形状のアッシュガードを有するプラグボディの一端にノブが設けられ、他端に発熱体部が設けられたライタプラグと、
挿入された前記ライタプラグを前記アッシュガードとスライド可能な状態で嵌合し、ソケット爪で前記アッシュガードに形成された凹部に係合して係止するソケットボディと、プラス電極から前記発熱体部に供給される電流の供給状態に応じて前記発熱体部の温度が変化して前記ライタプラグを保持または開放するバイメタルと、を備えたライタ受容部と、を有し、
前記ソケットボディに形成された前記ソケット爪は、前記ライタプラグが挿入される方向と反対の方向に向かって片持ちばりの形状で形成されていることを特徴とするシガレットライタ。
【請求項２】
前記ライタ受容部は、前記ライタプラグの他に、前記プラス電極から電流が供給されるアクセサリ用品プラグが挿入されて装着されることを特徴とする請求項１に記載のシガレットライタ。
【請求項３】
前記ソケット爪は、前記ライタプラグが挿入される方向に向かってその幅が漸次大きく設定されていることを特徴とする請求項１又は２に記載のシガレットライタ。
【発明の詳細な説明】
【技術分野】
【０００１】
本発明は、シガレットライタに関し、特に、市販のアクセサリ用品プラグに好適に使用できるシガレットライタに関する。
【背景技術】
【０００２】
シガレットライタは、その基本構成としては従来長く使用されてきており、例えば、発熱体、ノブ、アッシュガード等から構成されるライタプラグと、挿入されたライタプラグを保持するソケットボディと発熱体に通電すると共にライタプラグを保持するバイメタル等から構成されて自動車のインストルメントパネル等に設けられるライタ受容部とから構成されている（特許文献１参照）。
【０００３】
特許文献１のシガレットライタによれば、つぎのようなライタ操作が可能である。すなわち、ライタプラグをソケットボディにスライドして装着すると、ライタプラグ側の凹部がソケットボディ側のソケット爪に係止される。さらに、ノブを押し込むと、ライタプラグはバネ付勢力に抗して奥部へスライドして、バイメタルに保持される。バイメタルに保持された状態では、プラス端子からバイメタルを介して発熱体に通電路が形成される。発熱体に通電されると温度が上昇してバイメタルが外方に変形し、所定の温度に達するとバイメタルに保持されていたライタプラグが解放されてライタ本体がバネ付勢力により操作者側に突出移動する。操作者は、ライタ受容部から前方に突出したノブを引っ張ることにより、ライタプラグをライタ受容部から取り出して、ライタプラグの発熱体により煙草に火を付けることができる。
【先行技術文献】
【特許文献】
【０００４】
【特許文献１】特開２００４−３６９９５号公報
【発明の概要】
【発明が解決しようとする課題】
【０００５】
しかし、従来の構成によると、ライタプラグの代わりにアクセサリ用品プラグが挿入される場合に、アクセサリ用品プラグとソケットボディ側のソケット爪が干渉する場合があった。
【０００６】
従って、本発明の目的は、挿入されるアクセサリ用品プラグとソケットボディ側のソケット爪の干渉を抑制でき、アクセサリ用品プラグの使用にも好適なシガレットライタを提供することにある。
【課題を解決するための手段】
【０００７】
［１］本発明は、上記目的を達成するため、円筒形状のアッシュガードを有するプラグボディの一端にノブが設けられ、他端に発熱体部が設けられたライタプラグと、挿入された前記ライタプラグを前記アッシュガードとスライド可能な状態で嵌合し、ソケット爪で前記アッシュガードに形成された凹部に係合して係止するソケットボディと、プラス電極から前記発熱体部に供給される電流の供給状態に応じて前記発熱体部の温度が変化して前記ライタプラグを保持または開放するバイメタルと、を備えたライタ受容部と、を有し、前記ソケットボディに形成された前記ソケット爪は、前記ライタプラグが挿入される方向と反対の方向に向かって片持ちばりの形状で形成されていることを特徴とするシガレットライタを提供する。
【０００８】
［２］前記ライタ受容部は、前記ライタプラグの他に、前記プラス電極から電流が供給されるアクセサリ用品プラグが挿入されて装着されることを特徴とする上記［１］に記載のシガレットライタであってもよい。
【０００９】
［３］また、前記ソケット爪は、前記ライタプラグが挿入される方向に向かってその幅が漸次大きく設定されていることを特徴とする上記［１］又は［２］に記載のシガレットライタであってもよい。
【発明の効果】
【００１０】
本発明によれば、挿入されるアクセサリ用品プラグとソケットボディ側のソケット爪の干渉を抑制でき、アクセサリ用品プラグの使用にも好適なシガレットライタを提供することができる。
【図面の簡単な説明】
【００１１】
【図１】図１（ａ）は、（ｂ）図のＡ−Ａで示す本発明の実施の形態に係るシガレットライタのＡ−Ａ縦断面図であり、図１（ｂ）は、図１（ａ）の右側面図である。
【図２】図２（ａ）は、（ｂ）図のＢ−Ｂで示す本発明の実施の形態に係るシガレットライタのＢ−Ｂ縦断面図であり、図２（ａ）は、図２（ａ）の右側面図である。尚、図２（ａ）は、図１（ａ）と直交する断面を示している。
【図３】図３は、図１（ａ）で示すＣ方向から見たソケットボディの平面図である。
【図４】図４は、図２におけるライタプラグを押込んだ状態を示す図２（ａ）相当図である。
【図５】図５（ａ）は、アクセサリ用品プラグの挿入途中を示す縦断面図であり、図５（ｂ）は、アクセサリ用品プラグを押込んで使用状態とした場合を示す縦断面図である。
【発明を実施するための形態】
【００１２】
（本発明の実施の形態）
図１（ａ）は、（ｂ）図のＡ−Ａで示す本発明の実施の形態に係るシガレットライタのＡ−Ａ縦断面図であり、図１（ｂ）は、図１（ａ）の右側面図である。また、図２（ａ）は、（ｂ）図のＢ−Ｂで示す本発明の実施の形態に係るシガレットライタのＢ−Ｂ縦断面図であり、図２（ａ）は、図２（ａ）の右側面図である。尚、図２（ａ）は、図１（ａ）と直交する断面を示している。本発明の実施の形態に係るシガレットライタ１０は、円筒形状のアッシュガード２４０を有するプラグボディ２２０の一端にノブ２１０が設けられ、他端に発熱体部としてのヒータエレメント２５０が設けられたライタプラグ２００と、挿入されたライタプラグ２００をアッシュガード２４０とスライド可能な状態で嵌合し、ソケット爪１１２でアッシュガード２４０に形成された凹部２４２に係合して係止するソケットボディ１１０と、ヒータエレメント２５０に電流を供給するプラス電極１４２からの電流の供給状態に応じてヒータエレメント２５０の温度が変化してライタプラグ２００を保持または開放するバイメタル１３０と、を有するライタ受容部１００と、を備え、ソケットボディ１１０に形成されたソケット爪１１２は、ライタプラグ２００が挿入される方向と反対の方向に向かって片持ちばりの形状で形成された構成とされている。
【００１３】
図１、２に示すように、車両の運転席前方に設けられたインストルメントパネル４００には円形の取付穴４０１が形成されており、取付穴４０１にソケットボディ１１０が嵌合されている。このソケットボディ１１０は、図示しない取付けリングに形成された爪部等によりインストルメントパネル４００に係止され、ライタ受容部１００が取付け固定されている。
【００１４】
（ライタ受容部１００）
ライタ受容部１００は、ソケットボディ１１０、コネクタハウジング１２０、バイメタル１３０、ボルト１４０、ソケットインシュレータ１５０、取付部材１６０、ナット１７０、プラス端子１８０、マイナス端子１８５等から概略構成されている。
【００１５】
図３は、図１（ａ）で示すＣ方向から見たソケットボディの平面図である。ソケットボディ１１０は、図１、２にその縦断面形状を示すように、有底の円筒形状であり、例えば、絞り用鋼板ＳＰＣＤを用いて絞り加工およびプレス加工により形成される。後述するライタプラグ２００が挿入される側にはフランジ部１１０ａを有する開口部１１０ｂが形成され、反対の有底側にはボルト１４０が挿入される穴１１０ｇが形成された底部１１０ｃが形成されている。
【００１６】
図３に示すように、円筒面１１０ｈには、ソケット爪１１２が形成されている。このソケット爪１１２は、絞り加工後に、プレス加工によりソケット爪１１２の周囲部１１０ｄを抜き加工し、図１に示すように、後述するアッシュガード２４０の凹部２４２に係止可能なようにアッシュガード２４０側に突出して湾曲する係止部１１０ｆがプレス加工により形成されている。このソケット爪１１２は、ソケットボディ１１０の円筒面１１０ｈに複数箇所、円周方向に形成されて配置される。尚、その他、バイメタル１３０との干渉を防止するための切欠部１１０ｅがバイメタル１３０の位置に対応して複数箇所プレス加工により形成されている。
【００１７】
ソケット爪１１２は、図３に示すように、ソケットボディ１１０の底部１１０ｃ側から開口部１１０ｂ側の方向に片持ちばりの形状で形成されている。すなわち、ライタプラグ２００が挿入される方向と反対の方向に向かって片持ちばりの形状で形成されている。ここで、ソケット爪１１２の片持ちばりの根元部１１２ａでの幅Ｗ１は、その先端部１１２ｂの幅Ｗ２よりも大きく設定されている。すなわち、ライタプラグ２００が挿入される方向に向かってその幅が漸次大きく設定されている。これにより、荷重を主に受ける係止部１１２ｆやその周辺に作用する荷重によって片持ちばりに作用する曲げ応力をその長さ方向において略等しくすることができる。これにより、曲げに対してその長さ方向において曲げ応力が略均等なソケット爪１１２が可能となる。
【００１８】
上記示したソケットボディ１１０は、図１、２に示すように、ボルト１４０とナット１７０により、ソケットインシュレータ１５０、ソケットボディ１１０の底部１１０ｃ、取付部材１６０が共締めにより一体的に固定されている。
【００１９】
ボルト１４０は、導電性の材料で形成され、プラス電極端子として機能する。このボルト１４０の頭部はプラス電極１４２であって、車両用電源ソケットとして使用する場合は、アクセサリ用品プラグ３００のプラス端子３２０が接触することによりプラス電圧を供給する。図１、２に示すように、ボルト１４０にはバイメタル１３０がカシメ加工により固定され、このボルト１４０を介してバイメタル１３０にプラス電圧が印加される構成とされている。
【００２０】
ソケットインシュレータ１５０は、ボルト１４０とソケットボディ１１０の間を絶縁する。すなわち、プラス電圧が印加されるボルト１４０とマイナス側のソケットボディ１１０との間を絶縁する。
【００２１】
取付部材１６０は、共締めによりソケットボディ１１０に一体的に固定されると共に、取付部材１６０に形成された係止用爪部１６１によりコネクタハウジング１２０を係止して固定する。これにより、ソケットボディ１１０とコネクタハウジング１２０が一体化したライタ受容部１００を構成できる。
【００２２】
ボルト１４０の先端部には所定の形状に湾曲して形成された感熱動作部材としてのバイメタル１３０がカシメにより固定されている。ここで、バイメタル１３０は、図２に示すように、バイメタル１３０が後述するヒータケース２５２を係止する形状、例えば、ヒータケース２５２側に向かってＲ形状等の凸状の係合部１３２が形成され、後述する発熱体部との係合領域を構成する。この係合部１３２を両端部に備え、図２に示すような全体としてコ字形状に形成されて、ボルト１４０にカシメ加工により固定されている。
【００２３】
バイメタル１３０は、鉄とニッケルの合金に、マンガン、クロム、銅などを添加して２種類の熱膨張率の異なる金属板を作り、冷間圧延で貼り合わせたもので、温度の変化によって曲がり方が変化し、本実施の形態では、温度上昇に伴い外方に変形するようになっている。バイメタル１３０は、ボルト１４０のプラス電極１４２からプラス電圧が印加されると共に、ヒータケース２５２、ヒータエレメント２５０、ヒータリベット２５４、プラグボディ２２０、（コンタクトリング２２４）、スライドリング２３０、アッシュガード２４０を介してソケットボディ１１０へ電気的に接続される。一方、ソケットボディ１１０はマイナス端子１８５に接続されているので、ヒータエレメント２５０がバイメタル１３０に保持されている状態では、ヒータエレメント２５０に電源が供給されることになる。
【００２４】
コネクタハウジング１２０は、樹脂で形成され、その内部にプラス端子１８０、マイナス端子１８５が取り付けられている。プラス端子１８０は、ボルト１４０に電気的に接続され、一方、マイナス端子１８５は電気的にソケットボディ１１０に接続されている。尚、例えば、マイナス端子１８５とソケットボディ１１０の間に所定の温度上昇で断線する温度フューズを接続する構成としてもよい。
【００２５】
（ライタプラグ２００）
一方、ライタプラグ２００は、ノブ２１０、プラグボディ２２０、スライドリング２３０、アッシュガード２４０、ヒータエレメント２５０等により構成されている。スライドリング２３０とアッシュガード２４０は、一体的にソケットボディ１１０に挿入されて嵌合し、ノブ２１０、プラグボディ２２０、ヒータエレメント２５０等は、スプリング２２２に抗してさらに奥に押し込むことにより着火動作を行なう構成とされている。
【００２６】
プラグボディ２２０には、キャップ２１６と一緒にコーキングナット２１４がカシメにより固定されている。また、プラグボディ２２０には、ヒータリベット２５４が立設され、プラグインシュレータ２５６を挟んでヒータケース２５２が固定されている。また、コーキングナット２１４には、ノブメタル２１２がインサート成形により埋設されその先端のネジ部が突出したノブ２１０が螺合されることにより固定され、ノブ２１０とプラグボディ２２０等が一体的に構成されている。
【００２７】
ヒータリベット２５４の先端部には発熱体部としてのヒータエレメント２５０等が取付けられている。ヒータエレメント２５０の外周部にはそれを覆うようにヒータケース２５２が取り付けられている。ヒータケース２５２の外周部は、着火動作のためにノブ２１０が奥に押し込まれたときにバイメタル１３０の凸状の係合部１３２が保持できるように突出形状とされている。また、ヒータエレメント２５０の一端はヒータケース２５２に電気的に接続されてプラス電圧が印加され、他端はヒータリベット２５４に電気的に接続されて、それぞれ金属で形成されたプラグボディ２２０、コンタクトリング２２４、スライドリング２３０、アッシュガード２４０を介してソケットボディ１１０へ接続されてマイナス側へ電気的に接続される。尚、コンタクトリング２２４が無くとも、プラグボディ２２０とスライドリング２３０の間の電気的接続は可能である。
【００２８】
図１、２に示すように、キャップ２１６およびプラグボディ２２０の外周部には、スライドリング２３０がスライド可能に外嵌されている。スライドリング２３０は、キャップ２１６とヒータケース２５２の間でスライド可能とされている。スライドリング２３０とキャップ２１６の間にはスプリング２２２が伸張した状態で装着され、スライドリング２３０からの反力をプラグボディ２２０、ノブ２１０等に作用させている。
【００２９】
スライドリング２３０の外周部には、アッシュガード２４０が外嵌されてスライドリング２３０とスライド可能な状態で嵌合されている。アッシュガード２４０は、鍔部２４０ａが形成された円筒状の部材であって、外周部にはソケット爪１１２が係止される凹部２４２が１周に亘って形成されている。アッシュガード２４０はソケットボディ１１０の内周部をスライドでき、鍔部２４０ａがソケットボディ１１０のフランジ部１１０ａに当接するまでライタプラグ２００を押し込むことができる。また、この状態から、さらにノブ２１０、プラグボディ２２０、ヒータエレメント２５０等を着火動作として押し込むことができる。
【００３０】
（シガレットライタの使用動作）
ライタプラグ２００をソケットボディ１１０に挿入すると、アッシュガード２４０の鍔部２４０ａがソケットボディ１１０のフランジ部１１０ａに当接するまでライタプラグ２００を押し込むことができる。この状態では、図１に示すように、ソケットボディ１１０のソケット爪１１２がアッシュガード２４０の凹部２４２と係合し、ライタプラグ２００がライタ受容部１００から容易には脱落しないようになっている。
【００３１】
図４は、図２におけるライタプラグ２００を押込んだ図である。この押し込んだ状態では、図４に示すように、バイメタル１３０の凸状の係合部１３２がヒータケース２５２の外縁に係合してスプリング２２２の付勢力に抗してバイメタル１３０がヒータケース２５２を保持する。この状態では、コネクタハウジング１２０のプラス端子１８０からボルト１４０、バイメタル１３０を介してヒータエレメント２５０の一端にプラス電圧が印加される。一方、ヒータエレメント２５０の他端は、ヒータリベット２５４、プラグボディ２２０、（コンタクトリング２２４）、スライドリング２３０、アッシュガード２４０、ソケットボディ１１０を介してマイナス端子１８５へ電気的に接続される。
【００３２】
ヒータエレメント２５０に通電されると温度が上昇してバイメタル１３０が外方に変形し、所定の温度に達するとバイメタル１３０に保持されていたヒータケース２５２の係合が解除されてプラグボディ２２０等はスプリング２２２のバネ付勢力により操作者側に突出移動する。
【００３３】
操作者は、ライタ受容部１００から前方に突出したノブ２１０を引っ張ることにより、ライタプラグ２００をライタ受容部１００から取り出して、ライタプラグ２００の発熱したヒータエレメント２５０により煙草に火を付けることができる。
【００３４】
（アクセサリ用品プラグの使用動作）
図５（ａ）は、アクセサリ用品プラグの挿入途中を示す縦断面図であり、図５（ｂ）は、アクセサリ用品プラグを押込んで使用状態とした場合を示す縦断面図である。図５（ａ）、（ｂ）で示すアクセサリ用品プラグ３００は、略円筒上のプラグ本体３１０の先端部分に設けられたプラス端子３２０とプラグ本体３１０の円筒面に設けられたマイナス端子３３０を有する。その他の構成部分は、図示を省略している。
【００３５】
アクセサリ用品プラグ３００がライタ受容部１００に挿入されると、プラス端子３２０はボルト１４０の頭部に形成されたプラス電極１４２と電気的に接続され、一方、マイナス端子３３０は、ソケットボディ１１０の内周部と接触するのでライタ受容部１００のマイナス側へ電気的に接続される。これにより、アクセサリ用品プラグ３００に通電され、所望の電力が得られる。
【００３６】
（本発明の実施の形態の効果）
本発明の実施の形態によれば、次のような効果を有する。
（１）本発明の実施の形態に係るシガレットライタ１０は、ソケットボディ１１０に設けられたソケット爪１１２がライタプラグ２００が挿入される方向と反対の方向に向かって片持ちばりの形状で形成されている。従って、アクセサリ用品プラグ３００が挿入された場合でも、ソケット爪１１２とアクセサリ用品プラグ３００のマイナス端子３３０が干渉しない構成とすることができる。あるいは、ソケット爪１１２とアクセサリ用品プラグ３００のマイナス端子３３０との干渉を最小限に抑制することができる。これにより、挿入されるアクセサリ用品プラグとソケットボディ側のソケット爪の干渉を抑制でき、アクセサリ用品プラグの使用にも好適なシガレットライタを提供することができる。
（２）上記示したソケット爪１１２の構成では、ライタプラグ２００が挿入される方向と反対の方向に向かって、ソケット爪１１２が片持ちばりの形状で形成されている。従って、アクセサリ用品プラグ３００のマイナス端子３３０と干渉してもソケット爪１１２の先端部１１２ｂや係止部１１２ｆの付近に限られる。片持ちばりの形状の先端部１１２ｂや係止部１１２ｆの付近は外方向に撓みやすく塑性変形を生じにくいので、アクセサリ用品プラグの使用にも好適なシガレットライタを提供することができる。
（３）ソケット爪１１２の片持ちばりの形状において、ライタプラグ２００が挿入される方向に向かってその幅が漸次大きく設定されている。これにより、荷重を主に受ける係止部１１２ｆやその周辺に作用する荷重によって片持ちばりに作用する曲げ応力をその長さ方向において略等しくすることができる。これにより、曲げに対してその長さ方向において曲げ応力が略均等なソケット爪１１２が可能となり、塑性変形等に対して強いソケット爪とすることが可能となる。
【００３７】
以上、シガレットライタを上記の実施の形態に基づいて説明したが、本発明は上記の実施の形態に限定されるものではなく、その要旨を逸脱しない範囲で種々の態様において実施することが可能である。
【符号の説明】
【００３８】
１０…シガレットライタ
１００…ライタ受容部、１１０…ソケットボディ、１１０ａ…フランジ部、１１０ｂ…開口部、１１０ｃ…底部、１１０ｄ…周囲部、１１０ｅ…切欠部、１１０ｆ…係止部、１１０ｇ…穴、１１０ｈ…円筒面、１１２…ソケット爪、１１２ａ…根元部、１１２ｂ…先端部、１１２ｆ…係止部、１２０…コネクタハウジング、１３０…バイメタル、１３２…係合部、１４０…ボルト、１４２…プラス電極、１５０…ソケットインシュレータ、１６０…取付部材、１６１…係止用爪部、１７０…ナット、１８０…プラス端子、１８５…マイナス端子
２００…ライタプラグ、２１０…ノブ、２１２…ノブメタル、２１４…コーキングナット
２１６…キャップ、２２０…プラグボディ、２２２…スプリング、２２４…コンタクトリング、２３０…スライドリング、２４０…アッシュガード、２４０ａ…鍔部、２４２…凹部、２５０…ヒータエレメント、２５２…ヒータケース、２５４…ヒータリベット、２５６…プラグインシュレータ
３００…アクセサリ用品プラグ、３１０…プラグ本体、３２０…プラス端子、３３０…マイナス端子
４００…インストルメントパネル、４０１…取付穴
【図１】
2012051438.tif 000003
【図２】
2012051438.tif 000004
【図３】
2012051438.tif 000005
【図４】
2012051438.tif 000006
【図５】
2012051438.tif 000007